Podtech/llm-jp-corpus-v4-ja_patent huggingface dataset:
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
画像ファイルの属性情報に応じて複数の画像ファイルを保存する画像ファイル管理装置であって、
複数の画像ファイルを保存する際に、当該複数の画像ファイルを保存するフォルダが１つの場合、当該フォルダをカレントフォルダとして表示画面に表示し、前記複数の画像ファイルを保存するフォルダが複数の場合、当該複数のフォルダを含む上位の階層のフォルダをカレントフォルダとして表示画面に表示することを特徴とする画像ファイル管理装置。
【請求項２】
前記画像ファイルの属性情報とは、撮影日情報であることを特徴とする請求項１に記載の画像ファイル管理装置。
【請求項３】
前記画像ファイルは、画像入力装置から入力された画像ファイルであることを特徴とする請求項１に記載の画像ファイル管理装置。
【請求項４】
前記画像入力装置から入力された画像を他の画像と識別可能に表示画面に表示することを特徴とする請求項３に記載の画像ファイル管理装置。
【請求項５】
画像ファイル管理装置に保存された画像を全て表示することを特徴とする請求項１に記載の画像ファイル管理装置。
【請求項６】
前記複数のフォルダを含む上位の階層のフォルダとは、前記複数のフォルダの上へと階層をたどっていったときに、共通にたどり着くフォルダであることを特徴とする請求項１に記載の画像ファイル管理装置。
【請求項７】
画像ファイルの属性情報に応じて複数の画像ファイルを保存する画像ファイル管理装置を制御する方法であって、
複数の画像ファイルを保存する際に、当該複数の画像ファイルを保存するフォルダが１つの場合、当該フォルダをカレントフォルダとして表示画面に表示し、前記複数の画像ファイルを保存するフォルダが複数の場合、当該複数のフォルダを含む上位の階層のフォルダをカレントフォルダとして表示画面に表示することを特徴とする画像ファイル管理装置の制御方法。
【請求項８】
前記画像ファイルの属性情報とは、撮影日情報であることを特徴とする請求項７に記載の画像ファイル管理装置の制御方法。
【請求項９】
前記画像ファイルは、画像入力装置から入力された画像ファイルであることを特徴とする請求項７に記載の画像ファイル管理装置の制御方法。
【請求項１０】
前記画像入力装置から入力された画像を他の画像と識別可能に表示画面に表示することを特徴とする請求項９に記載の画像ファイル管理装置の制御方法。
【請求項１１】
前記画像ファイル管理装置に保存された画像を全て表示することを特徴とする請求項７に記載の画像ファイル管理装置の制御方法。
【請求項１２】
前記複数のフォルダを含む上位の階層のフォルダとは、前記複数のフォルダの上へと階層をたどっていったときに、共通にたどり着くフォルダであることを特徴とする請求項７に記載の画像ファイル管理装置の制御方法。
【請求項１３】
請求項７乃至１２のいずれか１項に記載の画像ファイル管理装置の制御方法をコンピュータに実行させることを特徴とするプログラム。
【請求項１４】
請求項１３に記載のプログラムを記憶したことを特徴とするコンピュータ読み取り可能な記憶媒体。
【手続補正２】
【補正対象書類名】明細書
【補正対象項目名】発明の名称
【補正方法】変更
【補正の内容】
【発明の名称】画像ファイル管理装置及びその制御方法及びプログラム及び記憶媒体
【手続補正３】
【補正対象書類名】明細書
【補正対象項目名】０００８
【補正方法】変更
【補正の内容】
【０００８】
上述した課題を解決し、目的を達成するために、本発明に係わる画像ファイル管理装置は、画像ファイルの属性情報に応じて複数の画像ファイルを保存する画像ファイル管理装置であって、複数の画像ファイルを保存する際に、当該複数の画像ファイルを保存するフォルダが１つの場合、当該フォルダをカレントフォルダとして表示画面に表示し、前記複数の画像ファイルを保存するフォルダが複数の場合、当該複数のフォルダを含む上位の階層のフォルダをカレントフォルダとして表示画面に表示することを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
また、本発明に係わる画像ファイル管理装置の制御方法は、画像ファイルの属性情報に応じて複数の画像ファイルを保存する画像ファイル管理装置を制御する方法であって、複数の画像ファイルを保存する際に、当該複数の画像ファイルを保存するフォルダが１つの場合、当該フォルダをカレントフォルダとして表示画面に表示し、前記複数の画像ファイルを保存するフォルダが複数の場合、当該複数のフォルダを含む上位の階層のフォルダをカレントフォルダとして表示画面に表示することを特徴とする。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
また、本発明に係わるプログラムは、上記の画像ファイル管理装置の制御方法をコンピュータに実行させることを特徴とする。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
仮想３次元空間に、視点と、地面と、前記地面に一端が固定される複数の線状オブジェクトとが配置されており、前記視点から見える前記線状オブジェクトを２次元平面に投影して描画する画像処理を、制御部と記憶部とを備えたコンピュータに実行させるプログラムであって、
前記制御部により、前記記憶部に記憶された線状オブジェクトに関するデータを読み出して、前記複数の線状オブジェクトを前記地面に平行かつ高さの異なる複数の面で切断して形成される前記複数のオブジェクトの断面を、前記複数の面毎に半透明層として重ね合わせて前記２次元平面に描画する描画ステップと、
前記制御部により、所定時間経過後、前記半透明層の一部又は全部を所定の方向に移動させて前記２次元平面に再描画する再描画ステップとを実行させ、
前記描画ステップにより、前記複数の線状オブジェクトを含む画像が複数ゾーンに分割され、各ゾーンにおいて半透明層の数が決定されることを特徴とするプログラム。
【請求項２】
請求項１において、更に、
前記線状オブジェクト毎に、前記３次元仮想空間に固定される静的な光源に基づく第一の輝度と、前記第一の輝度とは異なる輝度であって、時間と共に変化する第二の輝度とを算出させるステップと、
前記第一及び前記第二の輝度の影響度をそれぞれ決定させるステップと、
前記第一及び前記第二の輝度と、前記第一及び前記第二の輝度に対してそれぞれ決定される前記影響度とに基づき、前記複数の線状オブジェクトの輝度をそれぞれ求めさせるステップとをコンピュータに実行させるプログラム。
【請求項３】
請求項１又は２において、
前記地面に近い半透明層ほど、移動量が少ないことを特徴とするプログラム。
【請求項４】
請求項１又は２において、
前記再描画ステップは、繰り返し行われ、
前記再描画ステップにおいて移動される半透明層は、前記所定の方向に所定の移動量移動されると、該所定の方向の反対方向に前記所定の移動量移動され、往復運動をすることを特徴とするプログラム。
【請求項５】
請求項１又は２において、
前記描画ステップでは、前記視点からの距離の増加に応じて、前記描画される半透明層の数が減少され、
前記再描画ステップでは、前記３次元空間において前記半透明層の数が第一の距離を超える箇所で、前記半透明層を移動させないことを特徴とするプログラム。
【請求項６】
請求項２において、
前記描画ステップでは、前記視点からの距離の増加に応じて、前記描画される半透明層の数が減少され、
前記３次元仮想空間において前記半透明層の数が第二の距離を超える箇所で、前記第二の輝度の影響度が前記第一の輝度の影響度より大きいことを特徴とするプログラム。
【請求項７】
請求項１乃至４のいずれかにおいて、
前記移動される半透明層の位置は、時間を変数とする第一の周期関数で決定されることを特徴とするプログラム。
【請求項８】
請求項７において、
前記線状オブジェクトの第二の輝度は、時間を変数とし、前記第一の周期関数と同じ周期の第二の周期関数で決定されることを特徴とするプログラム。
【請求項９】
仮想３次元空間に、視点と、地面と、前記地面に一端が固定される複数の線状オブジェクトとが配置されており、前記視点から見える前記線状オブジェクトを２次元平面に投影して描画する画像処理装置であって、
制御プログラム及び前記視点、前記地面、そして前記線状オブジェクトに関するそれぞれのデータが格納される記憶部と、
前記複数の線状オブジェクトを前記地面に平行かつ高さの異なる複数の面で切断して形成される前記複数のオブジェクトの断面を、前記複数の面毎に半透明層として重ね合わせて前記２次元平面に描画する描画部と、
所定時間経過後、前記半透明層の一部又は全部を所定の方向に移動させて前記２次元平面に再描画する再描画機能とを、前記記憶部から前記制御プログラム及び前記それぞれのデータを読み出して実現する制御部とを有し、
前記制御部は、前記複数の線状オブジェクトを含む画像を複数ゾーンに分割し、前記各ゾーンにおける前記半透明層の数を決定することを特徴とする画像処理装置。  
【請求項１０】
記憶部と制御部とを備え、前記記憶部に記憶されたデータに基づいて、前記制御部により、仮想３次元空間に、視点と、地面と、前記地面に一端が固定される複数の線状オブジェクトとを配置させ、前記視点から見える前記線状オブジェクトを２次元平面に投影して描画する画像処理装置において実行される画像処理方法であって、
前記制御部により、前記記憶部に記憶された前記線状オブジェクトに関するデータを読み出して、前記複数の線状オブジェクトを前記地面に平行かつ高さの異なる複数の面で切断して形成される前記複数のオブジェクトの断面を、前記複数の面毎に半透明層として重ね合わせて前記２次元平面に描画する描画ステップと、
前記制御部により、所定時間経過後、前記半透明層の一部又は全部を所定の方向に移動させて前記２次元平面に再描画する再描画ステップとを有し、
前記描画ステップにより、前記複数の線状オブジェクトを含む画像が複数ゾーンに分割され、各ゾーンにおいて半透明層の数が決定されることを特徴とする描画方法。
【請求項１１】
請求項１乃至８のいずれかに記載されたプログラムを記録したコンピュータ読み取り可能な記録媒体。
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
無線通信の信号処理を行う１つ以上のプロセッサユニットを有する無線通信装置において、該無線通信装置の制御を行うメインプロセッサと、前記メインプロセッサに使用されるメモリと、該無線通信装置が送受信する信号を入出力するための外部インタフェースと、前記メインプロセッサと前記メモリと前記外部インタフェースと前記プロセッサユニットとが接続され当該接続された構成要素の間での信号転送を行う制御バスと、前記外部インタフェースと前記プロセッサユニットとが接続され当該接続された構成要素の間での信号転送を行うデータバスとを備え、前記プロセッサユニットが複数ある場合は該複数のプロセッサユニットは並列に前記制御バス及び前記データバスに接続されることを特徴とする無線通信装置。
【請求項２】
請求項1に記載の無線通信装置において、前記データバスは、前記１つ以上のプロセッサユニットのそれぞれから前記外部インタフェースへ信号を転送するための第一の信号線と、前記外部インタフェースから前記１つ以上のプロセッサユニットのそれぞれへ信号を転送するための第二の信号線を備え、前記プロセッサユニット毎に前記第一の信号線と前記第二の信号線を個別に備えることを特徴とする無線通信装置。
【請求項３】
請求項1に記載の無線通信装置において、複数のプロセッサユニットを有し、前記データバスは、前記複数のプロセッサユニットから前記外部インタフェースへ信号を転送するための第一の信号線と、前記外部インタフェースから前記複数のプロセッサユニットへ信号を転送するための第二の信号線を備え、前記複数のプロセッサユニットが前記第一の信号線を共有し、前記複数のプロセッサユニットが前記第二の信号線を共有することを特徴とする無線通信装置。
【請求項４】
請求項1に記載の無線通信装置において、前記データバスは、前記１つ以上のプロセッサユニットのそれぞれから前記外部インタフェースへの信号の転送と、前記外部インタフェースから前記１つ以上のプロセッサユニットのそれぞれへの信号の転送の両方を行う信号線を備え、前記プロセッサユニット毎に前記信号線を個別に備えることを特徴とする無線通信装置。
【請求項５】
請求項1に記載の無線通信装置において、前記データバスは、前記複数のプロセッサユニットから前記外部インタフェースへの信号の転送と、前記外部インタフェースから前記複数のプロセッサユニットへの信号の転送の両方を行う信号線を備え、前記複数のプロセッサユニットが前記信号線を共有することを特徴とする無線通信装置。
【請求項６】
請求項3記載の無線通信装置において、前記第一の信号線と前記第二の信号線は、該信号線の利用を時間で区切るためのタイムスロットに分割され、前記プロセッサユニット毎にそれぞれタイムスロットが割り当てられ、前記各プロセッサユニットは前記それぞれに割り当てられたタムスロットの中で該信号線を利用して信号の転送を行なうことを特徴とする無線通信装置。
【請求項７】
請求項5記載の無線通信装置において、前記信号線は、該信号線の利用を時間で区切るためのタイムスロットに分割され、前記プロセッサユニット毎にそれぞれタイムスロットが割り当てられ、前記各プロセッサユニットは前記それぞれに割り当てられたタイムスロットの中で該信号線を利用して信号の転送を行なうことを特徴とする無線通信装置。
【請求項８】
請求項3記載の無線通信装置において、前記第一の信号線と前記第二の信号線は複数の信号線を含み、前記プロセッサユニット毎にそれぞれ前記複数の信号線のうちの少なくとも一つの信号線が割当てられ、前記各プロセッサユニットはそれぞれに割り当てられた信号線を用いて信号の転送を行なうことを特徴とする無線通信装置。
【請求項９】
請求項5記載の無線通信装置において、前記信号線は複数の信号線を備え、前記プロセッサユニット毎にそれぞれ前記複数の信号線のうちの少なくとも一つの信号線が割当てられ、前記各プロセッサユニットはそれぞれに割り当てられた信号線を用いて信号の転送を行なうことを特徴とする無線通信装置。
【請求項１０】
請求項1に記載の無線通信装置において、前記プロセッサユニットは、少なくとも該プロセッサユニットの制御を行う少なくとも一つのサブプロセッサと、該サブプロセッサが利用するメモリと、信号処理を行なう信号処理回路と、該プロセッサユニットが前記制御バス及び前記データバスを介して信号を転送するための制御を行なうバスインタフェースと、他のプロセッサユニットとの間で信号を転送するためのユニットインタフェースと、少なくとも前記サブプロセッサと前記メモリと前記信号処理回路と前記バスインタフェースが接続される内部バスとを備えることを特徴とする無線通信装置。
【手続補正２】
【補正対象書類名】明細書
【補正対象項目名】００１２
【補正方法】変更
【補正の内容】
【００１２】
図１４の第2のプロセッサ21の複数化に適用可能な技術として、特開2003-337805号公報（特許文献２）で開示された方法が考えられる。特開2003-337805では、複数のプロセッサをクロスバースイッチにより接続する構成が開示されている。しかし、一般にクロスバースイッチを用いた構成は、プロセッサの数の増加に伴い指数関数的に配線量が増大し、ハードウェアの規模が極端に大きくなるという問題がある。ハード規模の増大は無線機の大型化や高価格化を招き、ソフトウェア無線機の利便性を低下させる。第二の課題は、複数のプロセッサ間の通信を効率よく小規模なハードウェア構成で行う無線通信装置を実現することである。
【手続補正書】
【提出日】平成19年8月24日(2007.8.24)
【手続補正１】
【補正対象書類名】明細書
【補正対象項目名】０００５
【補正方法】変更
【補正の内容】
【０００５】
紙媒体に印刷された書籍、地図、またはプリントされたデジタル写真等を見ることは、日常良く行なわれている。このような書籍、地図、写真等は、直接、人間が印刷またはプリントされている紙媒体等の物理的実体に触ることができる。このため、例えば、書籍の頁をめくる触感、いわゆるタンジブル（ｔａｎｇｉｂｌｅ）な感覚を認知できる。このようなタンジブルな感覚を介して情報を得ることは、人間にとって自然なことであり、非常に重要である。
【手続補正２】
【補正対象書類名】明細書
【補正対象項目名】０００８
【補正方法】変更
【補正の内容】
【０００８】
しかしながら、従来技術の表示機能付き携帯情報装置は、観察している物体を認識する機能を有していない。この結果、使用者が、意図的に観察している物体に関連する画像情報を選択、検索しなければならない。このため、従来技術の表示機能付き携帯情報装置では、迅速、簡便に観察物体に関する後発的に付加された情報を得ることができない。
【手続補正３】
【補正対象書類名】明細書
【補正対象項目名】００１０
【補正方法】変更
【補正の内容】
【００１０】
上述した課題を解決し、目的を達成するために、第１の本発明によれば、関連する電子情報を有する印刷物を撮像する撮像部と、撮像された印刷物を画像認識により特定する画像認識部と、電子情報と電子情報に対して後発的に付加された印刷物情報とを格納する印刷物情報格納部と、少なくとも特定された印刷物に関する印刷物情報を表示する電子情報表示部と、電子情報表示部に表示された印刷物情報を印刷物の実視野に重畳的に表示する半透過光学素子とを有し、少なくとも撮像部と電子情報表示部と半透過光学素子とは携帯情報端末に備えられ、印刷物情報格納部は、携帯情報端末と通信可能なコンピュータに備えられ、画像認識部は、携帯情報端末とコンピュータとのいずれか一方に備えられていることを特徴とする情報重畳表示システムを提供できる。
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
プロジェクトの進捗管理システムであり、
階層構造を有し当該プロジェクトに対応する複数のタスクを記憶する記憶手段と、
当該プロジェクトの最下位階層タスクの進捗として完了又は未完のいずれかが入力される入力手段と、
当該最下位階層タスクの進捗に基づいて上位階層タスクの進捗を演算する処理手段と、
を備えるプロジェクトの進捗管理システム。
【請求項２】
ある上位階層タスクに含まれる複数の最下位階層タスクをリスト形式で表示させる表示手段を備える請求項１に記載のプロジェクトの進捗管理システム。
【請求項３】
前記記憶手段は、各最下位階層タスクに対して許容数値範囲を記憶しており、
前記入力手段は、最下位階層タスクの進捗としての数値が一次入力されると、当該数値が当該許容数値範囲に属するか否かにより当該最下位階層タスクの完了又は未完が二次入力される請求項１又は２に記載のプロジェクトの進捗管理システム。
【請求項４】
前記記憶手段は、各最下位層タスクとその重要度とを記憶し、
前記処理手段は、当該最下位階層タスクの進捗と当該重要度とに基づいて上位階層タスクの進捗を演算する請求項１乃至３のいずれかに記載のプロジェクトの進捗管理システム。
【請求項５】
前記処理手段は、前記上位階層タスクの進捗を（当該上位階層タスクに含まれる完了済み最下位階層タスクの重要度の和）／（当該上位階層タスクに含まれるすべての最下位層タスクの重要度の和）として演算する請求項４に記載のプロジェクトの進捗管理システム。
【請求項６】
前記記憶手段は、当該プロジェクトを上位階層タスク、中位階層タスク、そして前記最下位階層タスクとしての下位階層タスクを含む少なくとも三階層構造として記憶するとともに、
各中位階層タスクとその重要度及び各下位階層タスクとその重要度とをそれぞれ記憶し、
前記処理手段は、当該下位階層タスクの進捗とその重要度とに基づいて中位階層タスクの進捗を演算するとともに、
当該中位階層タスクの進捗とその重要度とに基づいて上位階層タスクの進捗を演算する請求項１乃至５のいずれかに記載のプロジェクトの進捗管理システム。
【請求項７】
前記記憶手段は、各最下位層タスクとその重要度とを予め記憶しており、上位階層タスクの重要度は、当該上位階層タスクに含まれるすべての下位階層タスクの重要度の和として求められる請求項１乃至６のいずれかに記載のプロジェクトの進捗管理システム。
【請求項８】
前記記憶手段は、各最下位層タスクとその重要度とを予め記憶しており、上位階層タスクの重要度は、当該上位階層タスクに含まれるすべての下位階層タスクの重要度の和とは無関係に予め記憶される請求項１乃至７のいずれかに記載のプロジェクトの進捗管理システム。
【請求項９】
演算された前記上位階層タスクの進捗を表示する表示手段を備える請求項１乃至８のいずれかに記載のプロジェクトの進捗管理システム。
【請求項１０】
前記処理手段は、プロジェクトが更新されると各タスクの進捗をリセットする請求項１乃至９のいずれかに記載のプロジェクトの進捗管理システム。
【請求項１１】
コンピュータを、
階層構造を有し当該プロジェクトに対応する複数のタスクを記憶する記憶手段と、
当該プロジェクトの最下位階層タスクの進捗として完了又は未完のいずれかが入力され
る入力手段と、
当該最下位階層タスクの進捗に基づいて上位階層タスクの進捗を演算する処理手段と
を備えるプロジェクトの進捗管理システムとして機能させるコンピュータプログラム
【請求項１２】
コンピュータによる、階層構造を有する複数のタスクから成るプロジェクトの進捗管理方法であり、
当該コンピュータが当該プロジェクトの最下位階層タスクの進捗として完了又は未完のいずれかの入力を受け付けるステップと、
当該コンピュータが当該最下位階層タスクの進捗に基づいて上位階層タスクの進捗を演算するステップと
を備えるプロジェクトの進捗管理方法。
【手続補正書】
【提出日】平成19年8月30日(2007.8.30)
【手続補正１】
【補正対象書類名】明細書
【補正対象項目名】０００６
【補正方法】変更
【補正の内容】
【０００６】
上記課題を解決するために成された本発明に係る情報変換装置は、
文字列を入力するための入力部、
前記文字列に対して形態素解析を行い、該文字列から名詞及び該名詞を修飾する修飾句を抽出する形態素解析部、
前記名詞に対応する概念及び前記修飾句に対応する概念をそれぞれ特定し、これら２つの概念の組み合わせの可否を判定する概念解析部、及び、
前記名詞に対応する概念と前記修飾句に対応する概念との組み合わせが可能である場合に、前記名詞に対応する説明用素材データを選択する素材選択部、及び、
前記素材選択部により選択された説明用素材データを、前記修飾句に対応する素材加工方法で加工することにより出力用データを生成するデータ加工部
を備えることを特徴としている。
また、本発明に係る情報変換装置は、
文を入力するための入力部、
前記文に対して形態素解析を行い、該文を構成する各形態素を抽出する形態素解析部、
前形態素解析に基づき構文解析を行い、該文から主語、述語、及び述語に係る複数の形態素である述語修飾語を特定する構文解析部、
前記主語、述語、及び各述語修飾語に対応する概念をそれぞれ特定し、これらの概念の組み合わせの可否を判定する概念解析部、及び、
前記各概念の組み合わせが可能である場合に、前記主語及び前記述語修飾語のうち名詞である述語修飾名詞に対応する説明用素材データを選択する素材選択部、及び、
前記素材選択部により選択された説明用素材データを、前記述語に対応する素材加工方法で加工することにより出力用データを生成するデータ加工部
を備えることを特徴とすることもできる。
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
配列した仕切り、あるいは規則正しく配列した格子の間に屈折率可変物質を配置して成る材料で作られた光学特性可変光学素子。
【請求項２】
電気によって駆動される請求項１に記載の光学特性可変光学素子。
【請求項３】
電磁波によって駆動される請求項１に記載の光学特性可変光学素子。
【請求項４】
表面を屈折率可変物質以外の材料で覆ったことを特徴とする請求項１に記載の光学特性可変光学素子。
【請求項５】
駆動用のエネルギーを電磁誘導で供給することを特徴とする請求項２に記載の光学特性可変光学素子。
【請求項６】
駆動用の電磁波が非可視光である請求項３に記載の光学特性可変光学素子。
【請求項７】
駆動用の電磁波が光であって、導光部材で伝送される請求項３に記載の光学特性可変光学素子。
【請求項８】
前記配列した仕切り、あるいは規則正しく配列した格子がフォトニック結晶格子であり、下記条件式の少なくとも１つを満たす請求項１乃至４の何れかに記載の光学特性可変光学素子。
２nm < Sx <λ
２nm < Sy <λ
２nm < Sz <λ
但し、Sx, Sy, Szはそれぞれ前記フォトニック結晶格子のx, y, z方向の繰り返しの周期、λは使用する光の波長である。
【請求項９】
前記配列した仕切り、あるいは規則正しく配列した格子がフォトニック結晶格子であり、下記条件式の少なくとも１つを満たす請求項１乃至４の何れかに記載の光学特性可変光学素子。
Ayz / Sx < 10Axy / Sz 
Axz / Sy < 10Axy / Sz 
但し、Sx, Sy, Szはそれぞれ前記フォトニック結晶格子のx, y, z方向の繰り返しの周期、Axyは前記フォトニック結晶格子のz軸方向の１周期をx-y平面へ投影したときの影の面積の和、Ayzは前記フォトニック結晶格子のz軸方向の１周期をy-z平面へ投影したときの影の面積の和、Axzは前記フォトニック結晶格子のz軸方向の１周期をx-z平面へ投影したときの影の面積の和である。
【請求項１０】
前記配列した仕切り、あるいは規則正しく配列した格子がフォトニック結晶格子であり、下記条件式を満たす請求項１乃至４の何れかに記載の光学特性可変光学素子。
２nm < Sz < ６００λ・ｘ・（２π/３６０）
但し、Szは前記フォトニック結晶格子のz軸方向の繰り返しの周期、λは使用する光の波長、ｘは前記ｚ軸の周りの前記フォトニック結晶格子の各層の積み重ねの回転角度である。
【請求項１１】
前記配列した仕切り、あるいは規則正しく配列した格子がフォトニック結晶格子であり、かつ、前記屈折率可変物質が液晶分子であり、下記条件式を満たす請求項１乃至４の何れかに記載の光学特性可変光学素子。
０.０１ ≦ fv ≦ ０.９９９
但し、fv は前記フォトニック結晶格子と前記液晶分子を合わせた光学材料の体積のうちで前記液晶分子の占める体積の割合である。
【請求項１２】
前記配列した仕切り、あるいは規則正しく配列した格子がフォトニック結晶格子であり、かつ、前記屈折率可変物質が液晶分子であり、下記条件式を満たす請求項１乃至４の何れかに記載の光学特性可変光学素子。
nmin−０.３ ≦ nR ≦nmax＋０.８
但し、nRは前記フォトニック結晶格子の屈折率、ｎmin及びｎmaxは前記液晶分子の屈折率楕円体の常光線を含む面内での互いに直交する方向の屈折率の最小値及び最大値である。
【請求項１３】
前記配列した仕切り、あるいは規則正しく配列した格子がフォトニック結晶格子であり、かつ、前記屈折率可変物質が液晶分子であり、下記条件式の何れかを満たす請求項１乃至４の何れかに記載の光学特性可変光学素子。
| nmin − nR | ≦ ０.２
| nmax − nR | ≦ ０.２
但し、nRは前記フォトニック結晶格子の屈折率、ｎmin及びｎmaxは前記液晶分子の屈折率楕円体の常光線を含む面内での互いに直交する方向の屈折率の最小値及び最大値である。
【請求項１４】
可変焦点レンズである請求項１乃至１１の何れかに記載の光学特性可変光学素子。
【請求項１５】
可変焦点ミラーである請求項１乃至１１の何れかに記載の光学特性可変光学素子。
【手続補正２】
【補正対象書類名】明細書
【補正対象項目名】００１９
【補正方法】変更
【補正の内容】
【００１９】
ジアリールエテンのようなフォトクロミック分子、フォトクロミック材料も異なる波長の光の照射により屈折率が変化するので、光駆動型の可変焦点レンズや 可変焦点ミラーの材料として利用可能である。低分子ネマチック液晶もフォトリフラクティブ効果を持つので利用可能である。ケイ皮酸エステルやクマリンのような光配向性の分子も利用可能である。なお、ジアリールエテン、あるいはある種の液晶は、異なる波長の光の照射により体積が変化するので、後述の図４７に示す可変焦点レンズ２１４のアゾベンゼン２１０の代わりに用いても良い。
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
光学特性を変化させる駆動用の光が、導光部材により伝送されることを特徴とする光学特性可変光学素子。
【請求項２】
構成材料の屈折率が、光により変化せしめられることを特徴とする請求項１記載の光学特性可変光学素子。
【請求項３】
前記導光部材が光ファイバーあることを特徴とする請求項１または２に記載の光学特性可変光学素子。
【請求項４】
前記駆動用の光が、複数の波長あるいは複数の波長域の光である請求項１乃至３に記載の光学特性可変光学素子。
【請求項５】
前記駆動用の光が非可視光であることを特徴とする請求項1乃至4に記載の光学特性可変光学素子。
【請求項６】
前記光学特性可変光学素子が可変焦点レンズである請求項１乃至５に記載の光学特性可変光学素子。
【請求項７】
前記光学特性可変光学素子が可変焦点ミラーである請求項１乃至５に記載の光学特性可変光学素子。
【請求項８】
前記光学特性可変光学素子が可変偏角プリズムである請求項１乃至５に記載の光学特性可変光学素子。
【請求項９】
可変焦点眼鏡である請求項６に記載の光学特性可変光学素子。
【請求項１０】
可変焦点コンタクトレンズであって、駆動用の光源と分離して配置された請求項６に記載の光学特性可変光学素子。
【請求項１１】
眼内レンズであって、駆動用の光源と分離して配置された請求項６に記載の光学特性可変光学素子。
【請求項１２】
人工視覚であって、コントラスト方式のオートフォーカスを備えた請求項６または７に記載の光学特性可変光学素子。
【手続補正２】
【補正対象書類名】明細書
【補正対象項目名】０００６
【補正方法】変更
【補正の内容】
【０００６】
上記目的を達成するため、本発明による光学特性可変光学素子は、光学特性を変化させる駆動用の光が、導光部材により伝送されることを特徴としている。
【手続補正３】
【補正対象書類名】明細書
【補正対象項目名】００１９
【補正方法】変更
【補正の内容】
【００１９】
ジアリールエテンのようなフォトクロミック分子、フォトクロミック材料も異なる波長の光の照射により屈折率が変化するので、光駆動型の可変焦点レンズや 可変焦点ミラーの材料として利用可能である。低分子ネマチック液晶もフォトリフラクティブ効果を持つので利用可能である。ケイ皮酸エステルやクマリンのような光配向性の分子も利用可能である。なお、ジアリールエテン、あるいはある種の液晶は、異なる波長の光の照射により体積が変化するので、後述の図４７に示す可変焦点レンズ２１４のアゾベンゼン２１０の代わりに用いても良い。
【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
サーバ装置から専用フォーマットのデータをネットワークを介して受信する受信手段と、
前記受信手段により受信する前記専用フォーマットのデータを用いて、データの編集処理を行う編集手段と、
前記編集手段により生成される編集データを汎用フォーマットに変換する変換手段と、
前記変換手段による変換処理により生成される前記汎用フォーマットの編集データを、前記サーバ装置に対して送信する送信手段とを有し、
前記サーバ装置は前記汎用フォーマットの編集データを複数の印刷処理装置のうち少なくとも１つに転送し、前記汎用フォーマットは前記複数の印刷処理装置が利用可能であることを特徴とする情報処理装置。
【請求項２】
前記専用フォーマットのデータは、画像データを配置する電子アルバムのテンプレートデータであり、
前記汎用フォーマットのデータは、それに基づく印刷処理が実行されることを特徴とする請求項１に記載の情報処理装置。
【請求項３】
情報処理装置の制御方法であって、
サーバ装置から専用フォーマットのデータをネットワークを介して受信する受信ステップと、
前記受信する前記専用フォーマットのデータを用いて、データの編集処理を行う編集ステップと、
前記編集処理により生成される編集データを汎用フォーマットに変換する変換ステップと、
前記変換処理により生成される前記汎用フォーマットの編集データを、前記サーバ装置に対して送信する送信ステップとを含み、
前記サーバ装置は前記汎用フォーマットの編集データを複数の印刷処理装置のうち少なくとも１つに転送し、前記汎用フォーマットは前記複数の印刷処理装置が利用可能であることを特徴とする情報処理方法。
【請求項４】
コンピュータに、
サーバ装置から専用フォーマットのデータをネットワークを介して受信するステップと、
前記受信された専用フォーマットのデータを用いて、データの編集処理を行うステップと、
前記編集処理により生成される編集データを汎用フォーマットに変換するステップと、
前記変換処理により生成される汎用フォーマットの編集データを、前記サーバ装置に対して送信するステップとを実行させ、
前記サーバ装置は前記汎用フォーマットの編集データを複数の印刷処理装置のうち少なくとも１つに転送し、前記汎用フォーマットは前記複数の印刷処理装置が利用可能であるためのプログラム。
【手続補正２】
【補正対象書類名】明細書
【補正対象項目名】発明の名称
【補正方法】変更
【補正の内容】
【発明の名称】情報処理装置、情報処理方法及びプログラム
【手続補正３】
【補正対象書類名】明細書
【補正対象項目名】００１０
【補正方法】変更
【補正の内容】
【００１０】
本発明の情報処理装置は、サーバ装置から専用フォーマットのデータをネットワークを介して受信する受信手段と、前記受信手段により受信する前記専用フォーマットのデータを用いて、データの編集処理を行う編集手段と、前記編集手段により生成される編集データを汎用フォーマットに変換する変換手段と、前記変換手段による変換処理により生成される前記汎用フォーマットの編集データを、前記サーバ装置に対して送信する送信手段とを有し、前記サーバ装置は前記汎用フォーマットの編集データを複数の印刷処理装置のうち少なくとも１つに転送し、前記汎用フォーマットは前記複数の印刷処理装置が利用可能であることを特徴とする。
本発明の情報処理装置の制御方法は、サーバ装置から専用フォーマットのデータをネットワークを介して受信する受信ステップと、前記受信する前記専用フォーマットのデータを用いて、データの編集処理を行う編集ステップと、前記編集処理により生成される編集データを汎用フォーマットに変換する変換ステップと、前記変換処理により生成される前記汎用フォーマットの編集データを、前記サーバ装置に対して送信する送信ステップとを含み、前記サーバ装置は前記汎用フォーマットの編集データを複数の印刷処理装置のうち少なくとも１つに転送し、前記汎用フォーマットは前記複数の印刷処理装置が利用可能であることを特徴とする。
本発明のプログラムは、コンピュータに、サーバ装置から専用フォーマットのデータをネットワークを介して受信するステップと、前記受信された専用フォーマットのデータを用いて、データの編集処理を行うステップと、前記編集処理により生成される編集データを汎用フォーマットに変換するステップと、前記変換処理により生成される汎用フォーマットの編集データを、前記サーバ装置に対して送信するステップとを実行させ、前記サーバ装置は前記汎用フォーマットの編集データを複数の印刷処理装置のうち少なくとも１つに転送し、前記汎用フォーマットは前記複数の印刷処理装置が利用可能であることを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
本発明によれば、専用フォーマットのデータを用いて編集された編集データを、汎用フォーマットに変換して送信するように構成したので、サーバがプリントサイト毎にコンバータを用意し、各プリントサイトが受け入れ可能なフォーマットに変換する処理が不必要となり、従来のサーバ側の負荷を分散させることが可能となる。また、サーバ側で各ユーザ端末の環境に合わせたフォントを用意しておく必要もなくなる。
【手続補正書】
【提出日】平成19年9月5日(2007.9.5)
【手続補正１】
【補正対象書類名】明細書
【補正対象項目名】００３０
【補正方法】変更
【補正の内容】
【００３０】
搭乗ゲート６は航空機のゲートに設けられており、ユーザによって挿入された搭乗券を読み取り、航空機の搭乗を許可するためのものである。搭乗ゲート６は搭乗券に記録された磁気情報を読み取る手段を備えているが、チェックイン済み航空券の代わりに携帯電話１０に埋め込まれたＩＣチップの情報、マイレージカード等のＩＤ情報を読み取る手段を設けてもよい。このように構成することにより、航空券および搭乗券を要しない完全チケットレスでの搭乗管理を実現することが可能となる。
【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
複数の種類のオブジェクトをレイアウトして表示装置に表示させる表示手段と、
種類が互いに異なるオブジェクトを関連付ける関連付け手段と、
種類が互いに等しいオブジェクトを入れ替えるための指示を受け付ける受け付け手段とを有し、
前記表示手段は、前記受け付け手段により入れ替え指示が受け付けられた場合に、前記入れ替え指示のあったオブジェクトおよびそれらに関連付けられたオブジェクトのレイアウトを入れ替えて表示させることを特徴とする画像処理装置。
【請求項２】
前記オブジェクトの種類は、画像オブジェクトおよび文字オブジェクトであることを特徴とする請求項１に記載の画像処理装置。
【請求項３】
前記オブジェクトは電子アルバムにレイアウトされ、
前記オブジェクトのＩＤと前記電子アルバムにおける位置とを関連付けて管理テーブルに登録する登録手段とをさらに有し、
前記登録手段は、前記受け付け手段により入れ替え指示が受け付けられたときに、前記管理テーブルを書き換えることを特徴とする請求項１又は２に記載の画像処理装置。
【請求項４】
前記受け付け手段により入れ替え指示が受け付けられた場合に、前記入れ替え指示のあったオブジェクトに関連付けられたオブジェクトも入れ替えるか否かを判断する判断手段をさらに有し、
前記表示手段は、前記判断手段により入れ替えないと判断された場合は、前記入れ替え指示のあったオブジェクトのレイアウトを入れ替えて表示させ、それらに関連づけられたオブジェクトのレイアウトは入れ替えないで表示させることを特徴とする請求項１乃至３の何れか１項に記載の画像処理装置。
【請求項５】
前記オブジェクトは、複数のページを含む電子アルバムにレイアウトされ、
前記表示手段は、前記受け付け手段により前記電子アルバムにおける同じページ内での入れ替え指示が受け付けられた場合に、前記入れ替え指示のあったオブジェクトに関連付けられたオブジェクトのレイアウトも入れ替えて表示させることを特徴とする請求項１乃至４の何れか１項に記載の画像処理装置。
【請求項６】
前記表示手段は、前記入れ替え指示のあったオブジェクトに関連づけられたオブジェクトがない場合は、前記入れ替え指示のあった画像オブジェクトに関連付けられたオブジェクトのレイアウトを入れ替えないで表示させることを特徴とする請求項１乃至５の何れか１項に記載の画像処理装置。
【請求項７】
前記入れ替え指示のあったオブジェクトは画像オブジェクトであり、
前記表示手段は、前記入れ替え指示のあった画像オブジェクトの少なくとも一方の解像度が所定の値より小さい場合に、前記入れ替え指示のあった画像オブジェクトに関連付けられたオブジェクトは入れ替えないことを特徴とする請求項１乃至６の何れか１項に記載の画像処理装置。
【請求項８】
複数の種類のオブジェクトをレイアウトして表示装置に表示させるステップと、
種類が互いに異なるオブジェクトを関連付けるステップと、
種類が互いに等しいオブジェクトを入れ替えるための指示を受け付けるステップと、
前記入れ替え指示が受け付けられた場合に、前記入れ替え指示のあったオブジェクトおよびそれらに関連付けられたオブジェクトのレイアウトを入れ替えて表示させるステップとを有することを特徴とする画像処理装置の制御方法。
【請求項９】
コンピュータに、
複数の種類のオブジェクトをレイアウトして表示装置に表示させるステップと、
種類が互いに異なるオブジェクトを関連付けるステップと、
種類が互いに等しいオブジェクトを入れ替えるための指示を受け付けるステップと、
前記入れ替え指示が受け付けられた場合に、前記入れ替え指示のあったオブジェクトおよびそれらに関連付けられたオブジェクトのレイアウトを入れ替えて表示させるステップとを実行させることを特徴とするコンピュータプログラム。
【手続補正２】
【補正対象書類名】明細書
【補正対象項目名】発明の名称
【補正方法】変更
【補正の内容】
【発明の名称】画像処理装置、画像処理装置の制御方法、及びコンピュータプログラム
【手続補正３】
【補正対象書類名】明細書
【補正対象項目名】０００１
【補正方法】変更
【補正の内容】
【０００１】
本発明は、画像処理装置、画像処理装置の制御方法、及びコンピュータプログラムに関し、特に、複数のオブジェクトを管理するために用いて好適なものである。
【手続補正４】
【補正対象書類名】明細書
【補正対象項目名】０００６
【補正方法】変更
【補正の内容】
【０００６】
本発明の画像処理装置は、複数の種類のオブジェクトをレイアウトして表示装置に表示させる表示手段と、種類が互いに異なるオブジェクトを関連付ける関連付け手段と、種類が互いに等しいオブジェクトを入れ替えるための指示を受け付ける受け付け手段とを有し、前記表示手段は、前記受け付け手段により入れ替え指示が受け付けられた場合に、前記入れ替え指示のあったオブジェクトおよびそれらに関連付けられたオブジェクトのレイアウトを入れ替えて表示させることを特徴とする。
【手続補正５】
【補正対象書類名】明細書
【補正対象項目名】０００７
【補正方法】変更
【補正の内容】
【０００７】
本発明の画像処理装置の制御方法は、複数の種類のオブジェクトをレイアウトして表示装置に表示させるステップと、種類が互いに異なるオブジェクトを関連付けるステップと、種類が互いに等しいオブジェクトを入れ替えるための指示を受け付けるステップと、前記入れ替え指示が受け付けられた場合に、前記入れ替え指示のあったオブジェクトおよびそれらに関連付けられたオブジェクトのレイアウトを入れ替えて表示させるステップとを有することを特徴とする。
【手続補正６】
【補正対象書類名】明細書
【補正対象項目名】０００８
【補正方法】変更
【補正の内容】
【０００８】
本発明のコンピュータプログラムは、コンピュータに、複数の種類のオブジェクトをレイアウトして表示装置に表示させるステップと、種類が互いに異なるオブジェクトを関連付けるステップと、種類が互いに等しいオブジェクトを入れ替えるための指示を受け付けるステップと、前記入れ替え指示が受け付けられた場合に、前記入れ替え指示のあったオブジェクトおよびそれらに関連付けられたオブジェクトのレイアウトを入れ替えて表示させるステップとを実行させることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、種類の異なる複数のオブジェクトを関連付け、複数のオブジェクトを一括して管理するようにしたので、入れ替え指示のあったオブジェクトだけでなく、その入れ替え指示のあったオブジェクトに関連付けられているオブジェクトも入れ替えることが可能になる。これにより、ユーザは、オブジェクトを可及的に容易に編集することができるようになる。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
記憶媒体に記憶された複数の画像データについて、互いに類似する画像データを検索する検索手段と、
前記検索された複数の類似画像データのうち少なくとも１つを代表類似画像データとして、電子アルバムのページと対応する編集領域に表示し、前記検索された複数の類似画像データのうち前記代表類似画像データ以外を前記電子アルバムのページとは独立した退避領域に表示するよう制御する表示制御手段とを備えたことを特徴とする電子アルバム編集装置。
【請求項２】
前記検索手段は、前記画像データの撮影日時、前記画像データに含まれる顔画像、前記画像データの特徴量に基づき、互いに類似する画像データを検索することを特徴とする請求項１に記載の電子アルバム編集装置。
【請求項３】
前記表示制御手段は、前記編集領域および前記退避領域を同時に表示するよう制御することを特徴とする請求項１乃至２に記載の電子アルバム編集装置。
【請求項４】
前記表示制御手段は、前記編集領域および前記退避領域を一画面に表示するよう制御することを特徴とする請求項１乃至３に記載の電子アルバム編集装置。
【請求項５】
前記編集領域に表示された代表類似画像データと、前記退避領域に表示された類似画像データとを区別して前記記憶媒体に記憶するよう制御する記憶制御手段とをさらに備えたことを特徴とする請求項１乃至４に記載の電子アルバム編集装置。
【請求項６】
前記編集領域に表示された代表類似画像データを指定する代表類似画像指定手段とをさらに備え、
前記表示制御手段は、前記指定された代表類似画像データと関連する類似画像データを、前記退避領域に表示された他の画像データと区別して表示するよう制御することを特徴とする請求項１乃至５に記載の電子アルバム編集装置。
【請求項７】
前記表示制御手段は、前記退避領域に表示された類似画像データと関連する代表類似画像データを、前記編集領域に表示された他の画像データと区別して表示するよう制御することを特徴とする請求項１乃至６に記載の電子アルバム編集装置。
【請求項８】
前記電子アルバムは複数のページを含み、
前記退避領域に表示された類似画像データを選択する類似画像選択手段とをさらに備え、
前記表示制御手段は、前記選択された類似画像データと関連する代表類似画像データを含む電子アルバムのページを前記編集領域に表示するよう制御することを特徴とする請求項１乃至７に記載の電子アルバム編集装置。
【請求項９】
前記退避領域に表示された類似画像データを指定する類似画像指定手段と、
前記指定された類似画像データと前記代表類似画像データの入れ替えのための指示を入力する入れ替え指示手段と、
前記表示制御手段は、前記入れ替え指示の入力に応答して、前記指定された類似画像データを前記編集領域に表示し、前記代表類似画像データを前記退避領域に表示するよう制御することを特徴とする請求項１乃至８に記載の電子アルバム編集装置。
【請求項１０】
前記編集領域に表示された画像データを印刷するための印刷用データを作成する作成手段とをさらに備えたことを特徴とする請求項１乃至９に記載の電子アルバム編集装置。
【請求項１１】
コンピュータに、
記憶媒体に記憶された複数の画像データについて、互いに類似する画像データを検索するステップと、
前記検索された複数の類似画像データのうち少なくとも１つを代表類似画像データとして、電子アルバムのページと対応する編集領域に表示し、前記検索された複数の類似画像データのうち前記代表類似画像データ以外を前記電子アルバムのページとは独立した退避領域に表示するよう制御するステップとを実行させることを特徴とするプログラム。
【請求項１２】
電子アルバム編集装置の制御方法であって、
記憶媒体に記憶された複数の画像データについて、互いに類似する画像データを検索するステップと、
前記検索された複数の類似画像データのうち少なくとも１つを代表類似画像データとして、電子アルバムのページと対応する編集領域に表示し、前記検索された複数の類似画像データのうち前記代表類似画像データ以外を前記電子アルバムのページとは独立した退避領域に表示するよう制御するステップとを備えたことを特徴とする制御方法。
【手続補正２】
【補正対象書類名】明細書
【補正対象項目名】発明の名称
【補正方法】変更
【補正の内容】
【発明の名称】電子アルバム編集装置およびその制御方法およびそのプログラム
【手続補正３】
【補正対象書類名】明細書
【補正対象項目名】０００１
【補正方法】変更
【補正の内容】
【０００１】
本発明は、複数画像データを複数ページに配置した電子アルバムを作成する電子アルバム編集装置及びその制御方法及びそのプログラムに関するものである。
【手続補正４】
【補正対象書類名】明細書
【補正対象項目名】０００７
【補正方法】変更
【補正の内容】
【０００７】
本願発明は、電子アルバム編集装置であって、記憶媒体に記憶された複数の画像データについて、互いに類似する画像データを検索する検索手段と、前記検索された複数の類似画像データのうち少なくとも１つを代表類似画像データとして、電子アルバムのページと対応する編集領域に表示し、前記検索された複数の類似画像データのうち前記代表類似画像データ以外を前記電子アルバムのページとは独立した退避領域に表示するよう制御する表示制御手段とを備えたことを特徴とする。